(57)【要約】【課題】複数監視卓でのプラントの監視において、連続して発生する表示の割込みを警報レベルに応じて抑制し、監視卓毎に表示画面を振り分けることができる警報表示装置を提供することを目的とする。【解決手段】実施態様によれば、プラントの監視システムで警報を表示する警報表示装置であって、プラントからの警報信号に基づいて割込み表示する警報画面を判定するための表示設定情報を保存する保存手段と、前記プラントからの警報信号に基づいて前記保存手段に保存された表示設定情報を参照して割込み表示する警報画面を判定する判定手段と、前記判定手段が判定した判定結果に基づいて警報画面を割込み表示する複数の表示手段とを備える。【選択図】図１
2011227652.tif 000002
【特許請求の範囲】
【請求項１】
プラントの監視システムで警報を表示する警報表示装置であって、
プラントからの警報信号に基づいて割込み表示する警報画面を判定するための表示設定情報を保存する保存手段と、
前記プラントからの警報信号に基づいて前記保存手段に保存された表示設定情報を参照して割込み表示する警報画面を判定する判定手段と、
前記判定手段が判定した判定結果に基づいて警報画面を割込み表示する複数の表示手段と、
を具備することを特徴とする警報表示装置。
【請求項２】
前記複数の表示手段は表示手段毎に割込み表示する警報レベルを設定できる
ことを特徴とする警報表示装置。
【請求項３】
前記判定手段は、既に警報信号に基づいて警報画面が割込み表示されている場合に、この警報信号と新たに生じた警報信号とについて前記保存手段に保存された表示設定情報の警報レベルを比較し、警報レベルが高い表示設定情報に基づいて割込み表示する警報画面を判定する
ことを特徴とする請求項１乃至請求項２記載の警報表示装置。
【発明の詳細な説明】
【技術分野】
【０００１】
本発明の実施態様は、プラントを監視する監視システムにおいて、警報を表示する警報表示装置に関する。
【背景技術】
【０００２】
例えば発電プラントにおける警報表示には、プラントの警報を監視するために必要な警報情報画面を表示してプラントの監視を行う手段が採用されている。ここで、従来の警報表示装置では、警報が発生した際にオペレータが監視する警報メッセージ表示画面や警報ガイダンス情報画面など、全て対話画面を介してオペレータが表示要求をしており、このことがオペレータの操作負荷となっていた。
【０００３】
これに対しプラントに故障など異常状態が発生した場合に、故障が発生した設備が表示される画面を表示する仕組みが知られている。（例えば特許文献１参照）。
【先行技術文献】
【特許文献】
【０００４】
【特許文献１】特開２０００−１１２５２１号公報
【発明の概要】
【発明が解決しようとする課題】
【０００５】
しかし、大規模なプラントで連続して故障が発生した場合、表示情報の割込みが複数発生し、対話表示メニューの選択操作の負荷が大きいなど、操作に支障が出る問題があった。また、複数卓での監視の際に卓によって監視対象を分ける必要がある場合も、全ての卓に同じ割り込みが発生し、不必要な情報が表示される問題があった。
【０００６】
本発明は、上記問題点を解決するためになされたもので、クライアント・サーバ方式における複数監視卓でのプラントの監視において、連続して発生する表示の割込みを警報レベルに応じて抑制し、監視卓毎に表示画面を振り分けることができる警報表示装置を提供することを目的とする。
【課題を解決するための手段】
【０００７】
上記目的を達成するために、本発明による警報表示装置は、プラントの監視システムで警報を表示する警報表示装置であって、プラントからの警報信号に基づいて割込み表示する警報画面を判定するための表示設定情報を保存する保存手段と、
前記プラントからの警報信号に基づいて前記保存手段に保存された表示設定情報を参照して割込み表示する警報画面を判定する判定手段と、
前記判定手段が判定した判定結果に基づいて警報画面を割込み表示する複数の表示手段と
を備えることを特徴とする。
【図面の簡単な説明】
【０００８】
【図１】本発明の第１の実施例の警報表示装置の構成を示すブロック図。
【図２】表示レベル指定情報の例を示す図。
【図３】表示設定情報の例を示す図。
【図４】本発明の第１の実施例の処理の流れを示すフローチャート。
【図５】警報発生時の警報画面割込み表示状態の例を示す図。
【図６】警報発生時の警報画面割込み表示状態の例を示す図。
【図７】警報レベルによる警報画面割込み表示抑制の例を示す図。
【図８】本発明の第２の実施例の処理の流れを示すフローチャート。
【図９】本発明の第２の実施例の警報レベルによる警報画面割込み表示抑制の例を示す図。
【図１０】本発明の第３の実施例の監視卓に異常がある場合の警報画面表示の例を示す図。
【発明を実施するための形態】
【０００９】
以下、本発明の実施例について図面を参照して説明する。
【実施例１】
【００１０】
（１）システム構成
本実施例の警報表示装置の構成を示すブロック図を図１に示す。同図に示すように、本実施形態に係る警報表示装置１は、クライアント・サーバ方式の監視制御システム１００に用いられ、監視サーバ３と、データベース４と、複数の監視卓２ａ〜ｎから構成されている。
【００１１】
監視卓２ａ〜ｎは、全て同じ機能を有し、グループ２０ａ〜ｎ分けされたグループごとに異なる対象を主に監視する。また監視卓２ａ〜ｎは、図２に示すように、表示レベル指定情報５でそれぞれ表示する警報レベルを設定することができる。また、オペレータは監視卓監視卓２ａ〜ｎを操作し、監視する画面を表示させることができる。
【００１２】
監視サーバ３は、プラント１０１の状態を監視して警報レベルを判定するとともに、監視卓２ａ〜ｎの稼動状態を監視する。
【００１３】
データベース４は、監視サーバ３に接続され、警報信号に対して表示する画面を判定するための表示設定情報６を保存している。
【００１４】
本実施例の表示設定情報６の構成を図３に示す。同図に示すように表示設定情報５は、信号番号、警報レベル指定、グループ指定、監視卓毎の表示画面指定で構成される。
【００１５】
（２）処理
次に本実施例の処理を図４に示すフローチャートに従って説明する。
【００１６】
監視卓２には、プラント１０１の監視画面が表示されている（Ｓ４０１）。
【００１７】
プラント１０１が故障して信号２の警報信号が出力されると（Ｓ４０２）、監視サーバ３がデータベース４に保存された表示設定情報６に基づいて（Ｓ４０３）、警報レベルを判定する（Ｓ４０４）。
【００１８】
例えば、図２（ａ）に示すように表示レベル指定情報５で表示レベルの指定がない場合には、監視サーバ３は対象設備についての警報画面の表示を表示設定情報６で指定された監視卓２に対して要求し、図５に示すように警報画面の割込み表示する（Ｓ４０５）。
【００１９】
警報レベルを判定した結果、警報レベルの値が表示レベル指定情報５（例えば、図２（ｂ））で指定された表示レベルの値以上の場合、監視サーバ３は対象設備についての警報画面の表示を表示設定情報６で指定された監視卓２に対して要求し、図６に示すように警報画面の割込み表示をする（Ｓ４０５）。
【００２０】
一方、警報レベルの値が表示レベル指定情報５（例えば、図２（ｃ））で指定された表示レベルの値に満たない場合には、図７に示すように警報画面の割込み表示しない。すなわち図２（ｃ）に示すように、操作卓ｂの表示レベル指定が２になっているので、警報レベル１の信号２では、操作卓ｂは警報画面の割込み表示しない。
【００２１】
＜本実施例によって得られる効果＞
本実施例では、プラントからの故障信号に基づいて、表示設定情報６で定められた監視卓２に警報画面を表示することができる。
【００２２】
表示レベル指定情報５で表示する警報レベルを設定すれば、操作卓毎に警報画面の割込み表示を抑制できる。
【実施例２】
【００２３】
次に本発明の第２の実施例の作用を図８に示すフローチャートに従って説明する。
【００２４】
監視卓２には、既に警報画面が表示されている（Ｓ８０１）。
【００２５】
プラント１０１から信号２の警報信号が出力されると（Ｓ８０２）、監視サーバ３がデータベース４に保存された表示設定情報６に基づいて（Ｓ８０３）、警報レベルを判定する（Ｓ８０４）。
【００２６】
警報レベルの値が表示レベル指定情報５で指定された表示レベルの値以上で、表示設定情報６で指定された監視卓２に既に警報信号に基づいて警報画面が割込み表示されている場合には、監視サーバ３はこの警報信号と新たに生じた警報信号とについて表示設定情報６の警報レベルを比較し、警報レベルが高い表示設定情報６に基づいて割込み表示する警報画面を判定する（Ｓ８０５）。
【００２７】
監視サーバ３は判定結果に基づいて、対象設備についての警報画面の表示を表示設定情報６で指定された監視卓２に対して要求し、警報画面の割込み表示を行う（Ｓ８０６）。
【００２８】
一方、新たに生じた警報信号の警報レベルの値が、既に表示中の警報信号の警報レベル
の値に満たない場合には、図９に示すように警報画面の割込み表示は行わない。
【００２９】
＜本実施例によって得られる効果＞
より高い警報レベルの故障が発生した場合には、既に警報画面が表示されている場合でも、更に警報画面を割込み表示することで、見逃しを防ぐことができる。また、高い警報レベルの警報を表示中に、軽微な警報レベルの警報による割込み表示を防ぐことで、オペレータは、より重要な警報の処理に集中することができる。
【実施例３】
【００３０】
続いて以下に、本発明の第３の実施例について図面を用いて説明する。
【００３１】
監視サーバ３で監視卓２の異常を検知している場合は、正常な監視卓グループ２０に要求して警報画面を割込み表示する。
【００３２】
図１０に示すように監視サーバ３は、監視卓グループ２０ａの操作卓ｂに異常を検知したので、正常な監視卓グループ２０ｂに対して要求を振り替えて警報画面を割込み表示する。
【００３３】
＜本実施例によって得られる効果＞
監視卓に異常がある場合でも、他の操作卓グループへ表示要求を振り替えて警報画面を割込み表示することで、警報の見逃しを防ぐことが出来る。
【００３４】
上記のように、本発明の実施例によって記載したが、この開示の一部をなす論述及び図面はこの発明を限定するものであると理解すべきではない。この開示から当業者には様々な代替実施の形態、実施例及び運用技術が明らかとなる。
【００３５】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００３６】
１・・・警報表示装置
２・・・監視卓
２ａ〜ｎ・・・監視卓ａ〜ｎ
２０・・・グループ
２０ａ〜ｎ・・・グループａ〜ｎ
３・・・監視サーバ
４・・・データベース
５・・・表示レベル指定情報
６・・・表示設定情報
１００・・・監視制御システム
１０１・・・プラント
【図１】
2011227652.tif 000003
【図２】
2011227652.tif 000004
【図３】
2011227652.tif 000005
【図４】
2011227652.tif 000006
【図５】
2011227652.tif 000007
【図６】
2011227652.tif 000008
【図７】
2011227652.tif 000009
【図８】
2011227652.tif 000010
【図９】
2011227652.tif 000011
【図１０】
2011227652.tif 000012